(57)【要約】  【課題】  ユーザーが液晶テレビ等の薄型表示装置の背面の壁掛け金具取り付け部に、他の部材を取り付けられないようにすることにより、重心が高くなることを防止する。  【解決手段】  背面下部にスタンド１３が着脱自在に取り付け可能であるとともに、背面に壁掛け金具１７が着脱自在に取り付け可能である薄型表示装置であって、壁掛け金具１７は本体背面に形成された取付孔を用いて取り付けられる薄型表示装置において、本体背面の取付孔が形成されている後キャビネット１２の裏面側に、スタンド１３が取り付けられている状態で、壁掛け金具１７の取付孔への係合を阻止する係合阻止手段を備える。【選択図】  図５
2007310186.tif 000002
【特許請求の範囲】
【請求項１】
スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、
スタンドが取り付けられている状態で、壁掛け金具の取付孔への係合を阻止する係合阻止手段を備えたことを特徴とする薄型表示装置。
【請求項２】
スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、
本体背面の取付孔が形成されているキャビネットの裏面側に、スタンドが取り付けられている状態で、壁掛け金具の取付孔への係合を阻止する係合阻止手段を備えたことを特徴とする薄型表示装置。
【請求項３】
スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、
本体背面の取付孔が形成されているキャビネットの裏面側に、スタンドの着脱に連動して昇降する昇降部材を備え、スタンドが取り付けられている状態で、昇降部材が上昇して取付孔を閉鎖することを特徴とする薄型表示装置。
【請求項４】
スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、
壁掛け金具の前面の前記取付け孔に対応する位置に突設されて先端部が大径であって基端部が小径である係合ピンと、
本体背面の前記取付孔に対応する位置の本体背面キャビネットを貫通して形成され孔径が前記係合ピンの先端大径部よりやや大きいキャビネット孔と、
前記取付孔が形成されている本体背面キャビネット部分の裏面に密接して上下方向摺動自在に支持されるとともに、スタンドが取り付けられた状態で下端が前記スタンドの上端に当接して押し上げられることにより上昇位置に保持される係合金具と、
該係合金具を下方へ付勢する付勢手段と、
前記係合金具に形成されたダルマ孔であって前記係合金具が上昇位置に保持されている状態で前記キャビネット孔に一致する位置に下部の大形部が形成され該大形部の上方に連続して前記係合ピンの小径部よりやや幅広の小形部が形成されたダルマ孔と、
を備えたことを特徴とする薄型表示装置。
【発明の詳細な説明】
【技術分野】
【０００１】
本発明は、液晶テレビ等の薄型表示装置に関し、詳しくはスタンドが着脱自在に取り付け可能であるとともに、背面に壁掛け金具が着脱自在に取り付け可能である薄型表示装置に関する。
【背景技術】
【０００２】
従来の液晶テレビ等の薄型表示装置では、ユーザーの好みにより、スタンドを取り付けて自立させ据え置き型として使用する場合と、壁掛け金具を取り付けて壁面に掛け壁掛け型として使用する場合のどちらにも対応可能なように構成されることがある。すなわち、工場出荷時は、薄型表示装置の本体背面下部に、スタンドを取り付けておくことで、購入したユーザーは、スタンドにより自立した状態で使用可能なようにしておき、壁掛けに変更したい場合は、オプションの壁掛け金具を購入して、背面に取り付けるようにしている。
【０００３】
図９は、スタンドにより自立している液晶テレビに、壁掛け金具を取り付ける場合を示し、液晶テレビ１の背面の後キャビネット２に、４個の雌ねじ穴が形成されている。その雌ねじ穴部分に、壁掛け金具３を当接して、４本のビスを、螺着することで、壁掛け金具３が固定される。図１０は、液晶テレビ１の背面の後キャビネット２に壁掛け金具３が取り付けられた状態を示し、この状態から、スタンド４を外して、壁掛け金具３を壁面に掛けることで、液晶テレビ１が壁掛け型となる。
なお、薄型テレビを、壁掛け型として使用可能であるとともに据え置き型として使用可能な従来技術としては、特許文献１および特許文献２に記載の「壁掛け卓上両用テレビジョン受像機」がある。
【特許文献１】実開平０１−８８８３号公報
【特許文献２】実開平０１−３８０６８号公報
【発明の開示】
【発明が解決しようとする課題】
【０００４】
ところで、図９に示されるように、液晶テレビ１の背面の後キャビネット２に、４個の雌ねじ孔が形成されているが、この雌ねじ孔は、壁掛け金具３を取り付ける以外には、特に用途を想定していない。つまり、液晶テレビ１に壁掛け金具３を取り付けないで、スタンド４により支持している場合は、その雌ねじ孔は開放されている。そのため、ユーザーによっては、その雌ねじ孔を利用して、図１１に示されるように、他の部材５をビス止めにより取り付けることが可能である。ここで、このように他の部材、特に重量のある部材５が取り付けられると、液晶テレビ１全体の重心が高くなるという問題が発生した。
【０００５】
図１２は、スタンド４により支持されている液晶テレビ１の重心位置を示す。図（ａ）は、背面のキャビネット２に何も取り付けない状態であり、重心は、２本の線で示された転倒角３０度を確保できる高さである。図（ｂ）は、背面の後キャビネット２に壁掛け金具３を取り付けた状態を示し、壁掛け金具３を取り付けた分、図（ａ）の場合よりも重心が上昇するが、まだ、転倒角３０度を確保できる高さである。図（ｃ）は、背面の後キャビネット２に、重量のある部材５がビス止めにより取り付けられた状態を示し、重心がさらに上昇して、転倒角３０度を外れる位置となり、液晶テレビ１は自立ができるものの、一寸後方へ傾けると転倒しやすいという問題が発生してしまう。
【０００６】
そのため、液晶テレビ１をスタンド４により自立させている状態では、壁掛け金具３を取り付けるための雌ねじ孔に、他の部材が取り付けられないようにしておくことが望まれていた。そこで、本発明は、背面下部にスタンドが着脱自在に取り付け可能であるとともに、背面に壁掛け金具が着脱自在に取り付け可能である薄型表示装置において、背面の壁掛け金具を取り付けるための取付孔に壁掛け金具以外の他の部材が取り付けられないようにして、重心が上昇しないようにすることを目的とした。
【課題を解決するための手段】
【０００７】
上記課題を解決するために、本発明は、スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、スタンドが取り付けられている状態で、壁掛け金具の取付孔への係合を阻止する係合阻止手段を備えたことを特徴とする。
【０００８】
また、本発明は、スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、本体背面の取付孔が形成されているキャビネットの裏面側に、スタンドが取り付けられている状態で、壁掛け金具の取付孔への係合を阻止する係合阻止手段を備えたことを特徴とする。
【０００９】
また、本発明は、スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、本体背面の取付孔が形成されているキャビネットの裏面側に、スタンドの着脱に連動して昇降する昇降部材を備え、スタンドが取り付けられている状態で、昇降部材が上昇して取付孔を閉鎖することを特徴とする。
【００１０】
また、本発明は、スタンドが着脱自在に取り付け可能であるとともに、背面に壁掛け金具が着脱自在に取り付け可能である薄型表示装置であって、壁掛け金具は本体背面に形成された取付孔を用いて取り付けられる薄型表示装置において、壁掛け金具の前面の前記取付け孔に対応する位置に突設されて先端部が大径であって基端部が小径である係合ピンと、本体背面の前記取付孔に対応する位置の本体背面キャビネットを貫通して形成され孔径が前記係合ピンの先端大径部よりやや大きいキャビネット孔と、前記取付孔が形成されている本体背面キャビネット部分の裏面に密接して上下方向摺動自在に支持されるとともに、スタンドが取り付けられた状態で下端が前記スタンドの上端に当接して押し上げられることにより上昇位置に保持される係合金具と、該係合金具を下方へ付勢する付勢手段と、前記係合金具に形成されたダルマ孔であって前記係合金具が上昇位置に保持されている状態で前記キャビネット孔に一致する位置に下部の大形部が形成され該大形部の上方に連続して前記係合ピンの小径部よりやや幅広の小形部が形成されたダルマ孔とを備え、背面下部にスタンドが取り付けられている状態では、係合金具が上昇してダルマ孔の大形部がキャビネット孔に一致するようにし、この状態で壁掛け金具の係合ピンをキャビネット孔およびダルマ孔の大形部に挿通してスタンドを取り外すと、付勢手段により係合金具が下降して、ダルマ孔の小形部が係合ピンの小径部に嵌合するようにしたことを特徴とする。
【発明の効果】
【００１１】
以上述べたように本発明によれば、スタンドが取り付けられた状態では、ユーザーが、壁掛け金具の取付孔へ、他の重量のある部材を取り付けることが防止されて、重心が高くなることがなくなり、薄型表示装置を安定して自立させておくことが可能となる。
【発明を実施するための最良の形態】
【００１２】
以下、図に基づいて本発明の実施形態を液晶テレビに適用した場合について説明する。図１〜図３は、本発明が適用される液晶テレビの外観図である。図１〜図３において、１００は画像表示を行う液晶パネル、１０１は前キャビネット、１０２は後ろキャビネット、１０３は液晶テレビ本体の操作ボタン類、１０４はスピーカー、１０５はスタンドを表す。
【００１３】
次に、本発明を液晶テレビに適用した場合の第１の実施形態について説明する。図４は、液晶テレビ背面部の分解斜視図と、要部を組み立てた状態を示す斜視図であり、図５は液晶テレビがスタンドにより自立している状態で壁掛け金具を挿入した状態を示し、図（ａ）は正面図であり、図（ｂ）は図（ａ）のＡ−Ａ線の断面図である。これらの図に示された液晶テレビは、図１〜図３の液晶テレビを簡略化して図示し、要部のみを表したものである。
【００１４】
すなわち、図４の左上に示された分解斜視図に示されるように、液晶テレビ本体１１（図１〜図３の液晶パネル１００および前キャビネット１０１に相当）の背面は、後キャビネット１２（図１〜図３の後キャビネット１０２に相当）に覆われる構造となっており、この後キャビネット１２の下端に、スタンド１３（図１〜図３のスタンド１０５に相当）が着脱自在に取り付けられる。スタンド１３が組み込まれる後キャビネット１２の下部には、内側に箱状に後退した嵌合部１４が形成されている。
【００１５】
嵌合部１４の上方には、矩形状をした係合金具１５が、後キャビネット１２の裏面に密接し、しかも上下方向摺動自在に支持されている。係合金具１５は、引っ張りコイルばね１６により、後キャビネット１２に連結されており、下方へ付勢されている。スタンド１３が嵌合部１４に組み込まれている状態では、スタンド１３の上端が、係合金具１５の下端に当接して押し上げるため、係合金具１５は上昇位置に保持され、スタンド１３が嵌合部１４から取り除かれた状態では、引っ張りコイルばね１６のばね力により下方に移動して下降位置に保持される。
【００１６】
係合金具１５には、壁掛け金具１７の前面側に突設されている係合ピン１８の位置に対応して、４箇所にダルマ孔１９が形成されている。係合金具１５が上昇位置に保持されている状態で、このダルマ孔１９の下部の大形部１９ａに対応する後キャビネット１２の位置に、ダルマ孔１９の大形部１９ａと略同径のキャビネット孔２１が形成されている。また、壁掛け金具１７の前面側に突設されている係合ピン１８は、先端側に大径部が形成され、基端側に小径部が形成されている。先端側の大径部は、ダルマ孔１９の大形部１９ａおよびキャビネット孔２１への挿通が可能なように、それらの径よりもやや小さく形成されている。基端側の小径部は、ダルマ孔１９の小形部１９ｂに係合可能なように、小形部１９ｂよりもやや小さい径に形成されている。
【００１７】
図４の右下および図５に示されるように、スタンド１３が後キャビネット１２の嵌合部１４に接続されている状態では、係合金具１５がスタンド１３の上端に押し上げられて上昇位置に保持される。この状態では、係合金具１５のダルマ孔１９の大形部１９ａと、キャビネット孔２１が一致しているため、そこへ壁掛け金具１７の係合ピン１８を挿入することが可能であるが、係合金具１５と係合されることがないため、そのままでは脱落してしまう。すなわち、液晶テレビ本体１１にスタンド１３が取り付けられて、スタンド１３により自立している状態では、壁掛け金具１７を取り付けることが不可能であり、それ以外に、ユーザーが他の部材をそのキャビネット孔２１に取り付けることも不可能となる。その結果、ユーザーによって他の部材が取り付けられることが防止されるため、液晶テレビ本体１１の重心が高くなって不安定となることがなくなる。
【００１８】
次に、スタンド１３を取り外して壁掛け金具１７を取り付けて壁掛けとする場合について説明する。図６は図５の状態からスタンド１３を取り外した状態を示す斜視図であり、図７は図６と同じくスタンド１３を取り外した状態を示し、図（ａ）は正面図であり、図（ｂ）は図（ａ）のＢ−Ｂ線の断面図である。スタンド１３を取り外して壁掛け金具１７を取り付けて壁掛けとする場合は、先ず、図５のように、壁掛け金具１７の係合ピン１８の先端大径部をキャビネット孔２１およびダルマ孔１９の大形部１９ａに挿入した状態で、スタンド１３を下方へ抜き取り、取り外す。すると、スタンド１３の上端が、嵌合部１４から抜け出るため、係合金具１５が引っ張りコイルばね１６のばね力により下方に移動して下降位置に移動する。
【００１９】
その結果、壁掛け金具１７の係合ピン１８の基端側小径部の位置にあったダルマ孔１９の大形部１９ａが下方へ移動し、ダルマ孔１９の小形部１９ｂが係合ピン１８の基端側小径部の位置に移動して、壁掛け金具１７が係合金具１５に係合される。この状態で、壁掛け金具１７を壁面の金具に掛けることで、壁掛けテレビとして支持することが可能となる。
【００２０】
次に、本発明を液晶テレビに適用した場合の第２の実施形態について説明する。この第２の実施形態は、上述した第１の実施形態の係合金具の孔と壁掛け金具の係合ピン部分のみを変更して他の構成は、第１の実施形態と同一構成であるので、係合金具のみを説明する。図８は、第２の実施形態を示し、後キャビネット１２の裏面側からみた外観図である。嵌合部１４には、スタンド１３が取り付けられて、係合金具２５が上昇位置に保持されている。この状態で、後キャビネット１２のキャビネット孔２１より上方に、係合金具２５の昇降ストローク分ずれた位置の係合金具２５上に、雌ねじ孔２９が形成されている。
【００２１】
図示されるように、スタンド１３が取り付けられて、係合金具２５が上昇位置に保持されている状態では、これら雌ねじ孔２９は、キャビネット孔２１からずれているため、後キャビネット１２の背面側からは、隠されて見えない。この状態から、スタンド１３を取り外すと、係合金具２５が引っ張りコイルばね１６のばね力により下方に移動して下降位置に移動し、キャビネット孔２１と雌ねじ孔２９が一致する。ここで、後キャビネット１２の背面側から図示しない壁掛け金具を当接して、雌ねじ孔２９にビスを螺着して壁掛け金具を取り付ける。なお、ここで用いられる壁掛け金具は、第１の実施形態の壁掛け金具１７から係合ピン１８を除去して、その位置にビス挿通用の孔を形成したものである。この実施形態の場合も、スタンド１３が取り付けられている状態では、雌ねじ孔２９が隠されているため、雌ねじ孔２９を利用して、ユーザーが他の部材を取り付けることが防止される。
【産業上の利用可能性】
【００２２】
本発明は、液晶テレビ等の薄型表示装置以外に、スタンドを取り付けて据え置きにする場合と、壁掛け金具を用いて壁掛けする場合が可能な他のＡＶ機器等への利用が可能である。
【図面の簡単な説明】
【００２３】
【図１】本発明が適用される液晶テレビの外観図である。
【図２】本発明が適用される液晶テレビの外観図である。
【図３】本発明が適用される液晶テレビの外観図である。
【図４】第１の実施形態における液晶テレビ背面部の分解斜視図と要部を組み立てた状態を示す斜視図である。
【図５】第１の実施形態における液晶テレビがスタンドにより自立している状態を示し、図（ａ）は正面図、図（ｂ）は図（ａ）のＡ−Ａ線の断面図である。
【図６】図５の状態からスタンドを取り外した状態を示す斜視図である。
【図７】スタンドを取り外した状態を示し、図（ａ）は正面図であり、図（ｂ）は図（ａ）のＢ−Ｂ線の断面図である。
【図８】第２の実施形態を示し、後キャビネットの裏面側からみた外観図である。
【図９】従来例を示し、図（ａ）は分解斜視図であり、図（ｂ）は側面図である。
【図１０】従来例を示し、図（ａ）は斜視図であり、図（ｂ）は側面図である。
【図１１】従来例を示し、図（ａ）は斜視図であり、図（ｂ）は側面図である。
【図１２】従来例における重心位置と転倒角を示す側面図である。
【符号の説明】
【００２４】
１１  液晶テレビ本体
１２  後キャビネット
１３  スタンド
１４  嵌合部
１５  係合金具
１６  引っ張りコイルばね
１７  壁掛け金具
１８  係合ピン
１９  ダルマ孔
１９ａ  大形部
１９ｂ  小形部
２１  キャビネット孔
２５  係合金具
２９  雌ねじ孔
１００  液晶パネル
１０１  前キャビネット
１０２  後ろキャビネット
１０３  液晶テレビ本体の操作ボタン類
１０４  スピーカー
１０５  スタンド  
【図１】
2007310186.tif 000003
【図２】
2007310186.tif 000004
【図３】
2007310186.tif 000005
【図４】
2007310186.tif 000006
【図５】
2007310186.tif 000007
【図６】
2007310186.tif 000008
【図７】
2007310186.tif 000009
【図８】
2007310186.tif 000010
【図９】
2007310186.tif 000011
【図１０】
2007310186.tif 000012
【図１１】
2007310186.tif 000013
【図１２】
2007310186.tif 000014